(57)【要約】【課題】  携帯型情報装置において、構造簡単にしてシールド効果の大きいシールド部材を得る。【解決手段】  情報を処理制御する制御回路ユニットと、該制御回路ユニットによって処理された情報を表示する表示ユニットとを備えた携帯型情報装置において、前記制御回路ユニットと前記表示ユニットとを重ね合わせて配設し、前記制御回路ユニットと前記表示ユニットとを個別にシールドする一体整形された、例えば折り曲げ等によって整形したシールド部材を設ける。【選択図】  図７
2006086673.tif 000002
【特許請求の範囲】
【請求項１】
情報を処理制御する制御回路ユニットと、該制御回路ユニットによって処理された情報を表示する表示ユニットとを備えた携帯型情報装置において、前記制御回路ユニットと前記表示ユニットとを重ね合わせて配設し、前記制御回路ユニットと前記表示ユニットとを個別にシールドする一体整形されたシールド部材を有することを特徴とする携帯型情報装置。
【請求項２】
前記シールド部材は、前記表示ユニットをシールドする表示ユニット下面シールド部と表示ユニット側方シールド部、および前記制御回路ユニットをシールドする制御回路ユニット上方シールド部と制御回路ユニット側方シールド部とを有することを特徴とする請求項１に記載の携帯型情報装置。
【請求項３】
前記シールド部材は、前記表示ユニット下面シールド部と表示ユニット側方シールド部及び前記制御回路ユニット上方シールド部と制御回路ユニット側方シールド部とを、一枚の導電性板材を曲げることにより形成されていることを特徴とする請求項２に記載の携帯型情報装置。
【請求項４】
前記表示ユニット下面シールド部と前記制御回路ユニット上方シールド部とは、前記一枚の導電性板材を１８０度曲げることにより形成されることを特徴とする請求項３に記載の携帯型情報装置。
【請求項５】
前記シールド部材は、前記表示ユニットの少なくとも一方の平面と少なくとも３カ所の側面をシールドし、前記制御回路ユニットの少なくとも一方の平面と少なくとも３カ所の側面をシールドすることを特徴とする請求項２又は請求項３に記載の携帯型情報装置。
【請求項６】
前記シールド部材は、前記表示ユニットの表面の外縁部を抑える表示ユニット外縁抑え部を有することを特徴とする請求項２乃至請求項３又は請求項５のいずれかに記載の携帯型情報装置。
【請求項７】
前記シールド部材は、前記表示ユニットを該シールド部材の内部に固定し脱落しないように抑えるための抑え爪部を有することを特徴とする請求項２乃至請求項３又は請求項５のいずれかに記載の携帯型情報装置。
【請求項８】
前記シールド部材は、前記制御回路ユニットに形成された導電パターンに半田付けされていることを特徴とする請求項１乃至請求項７のいずれかに記載の携帯型情報装置。
【請求項９】
前記シールド部材は、前記制御回路ユニット側方シールド部と前記制御回路ユニットに形成された導電パターンとを半田付けすることによって、前記制御回路ユニットに対して導電可能に固着されていることを特徴とする請求項８に記載の携帯型情報装置。
【請求項１０】
前記シールド部材は、前記表示ユニットを前記表示ユニット外縁抑え部に圧接するための第１押さえばね部、前記表示ユニットを表示ユニット側方シールド部に圧接するための第２押さえばね部、および前記表示ユニットを前記抑え爪部に圧接するための第３押さえばね部を有することを特徴とする請求項２乃至請求項７のいずれかに記載の携帯型情報装置。
【請求項１１】
前記表示ユニットの下面と前記制御回路ユニットの上面をシールドするための前記制御回路ユニット上方シールド部の少なくとも３辺から、それぞれ前記表示ユニットの側面をシールドするための前記表示ユニット側方シールド部と、前記制御回路ユニットの側面を
シールドするための前記制御回路ユニット側方シールド部とが一体的に形成されていることを特徴とする請求項３に記載の携帯型情報装置。
【請求項１２】
前記シールド部材は、導電材の射出成形により形成されていることを特徴とする請求項１乃至請求項１１のいずれかに記載の携帯型情報装置。
【請求項１３】
前記携帯型情報装置は更に電波を受信するためのアンテナを有し、前記シールド部材は、該アンテナに対して、前記制御回路ユニットおよび前記表示ユニットをシールドするように形成されていることを特徴とする請求項１乃至請求項１２のいずれかに記載の携帯型情報装置。
【請求項１４】
前記アンテナは、前記制御回路ユニットと前記表示ユニットとを重ね合わせて配設した側面に配置され、前記シールド部材は、前記表示ユニットおよび前記制御回路ユニットの前記アンテナに対向する側面と前記アンテナとを隔てるように形成されていることを特徴とする請求項１３に記載の携帯型情報装置。
【発明の詳細な説明】
【技術分野】
【０００１】
本発明は、主として情報を処理する制御回路ユニットと、該制御回路ユニットによって処理された情報を表示する表示ユニットとを有する携帯型情報装置において、前記制御回路ユニットと前記表示ユニットとを個別にシールドするシールド部材の構造に関するもので、特にアンテナを有する携帯型無線装置に適したシールド構造に関するものである。
【背景技術】
【０００２】
従来における携帯型情報装置特に携帯型無線装置は、例えば特許文献１に記載のように、制御回路ユニットと表示ユニットが発生するノイズをアンテナが拾わないようにシールドするためのシールド部材、および導電層を形成した外装部材を有していた。
【０００３】
上述した携帯型情報装置の従来例である特許文献１を図１０に示す。図１０において、アンテナ収納時の制御部および表示部からのノイズによる感度劣化を軽減し、人体等の導体から影響を受け難いシールド構造及びアース構造を有する携帯無線機において、表示部２０３及び制御部２０１からのノイズを防ぐためのシールド板２０２と、導体からの影響を受けないため及びアースを広くするためのフロントケース２０８の内面に施した導電層２１１と、アースを広くするためにシートキー２０５に施した導電接続材２０４、２０６と、導電処理したフロントケース２０８と制御部２０１を導体接触させるボス２０８Ａの表面に金メッキパターンにより形成された接触層２０８Ｂと、無線部２０７のアースを制御部２０１のアースに接続するアース金具（図示せず）とを備えている。
【特許文献１】特開平９−１８１６３７号公報
【発明の開示】
【発明が解決しようとする課題】
【０００４】
上述したように従来例においては、シールド板２０２とフロントケース２０８の内面に施した導電層２１１によってシールドを行い、シールド板２０２と導電層２１１とを接触させて導電を図っているが、シールド板２０２と導電層２１１を内面に施したフロントケース２０８を採用することは製造コストを高価なものとし、シールド板２０２と導電層２１１とを接触させて導通を図る構成では、高周波のインピーダンスが高く、充分なシールド効果を得ることができないという問題点があった。
【０００５】
本発明の目的は、携帯型情報装置において、構造簡単にしてシールド効果の大きいシールド部材を得ようとするものである。
【課題を解決するための手段】
【０００６】
上記目的を達成するために、本発明においては、情報を処理制御する制御回路ユニットと、該制御回路ユニットによって処理された情報を表示する表示ユニットとを備えた携帯型情報装置において、前記制御回路ユニットと前記表示ユニットとを重ね合わせて配設し、前記制御回路ユニットと前記表示ユニットとを個別にシールドする一体整形されたシールド部材を有することを特徴とするものである。
【０００７】
前記シールド部材は、前記表示ユニットをシールドする表示ユニット下面シールド部と表示ユニット側方シールド部、および前記制御回路ユニットをシールドする制御回路ユニット上方シールド部と制御回路ユニット側方シールド部とを有することを特徴とするものである。
【０００８】
前記シールド部材は、前記表示ユニット下面シールド部と表示ユニット側方シールド部
及び前記制御回路ユニット上方シールド部と制御回路ユニット側方シールド部とを、一枚の導電性板材を曲げることにより形成されていることを特徴とする。
【０００９】
前記表示ユニット下面シールド部と前記制御回路ユニット上方シールド部とは、前記一枚の導電性板材を１８０度曲げることにより形成されることを特徴とするものである。
【００１０】
前記シールド部材は、前記表示ユニットの少なくとも一方の平面と少なくとも３カ所の側面をシールドし、前記制御回路ユニットの少なくとも一方の平面と少なくとも３カ所の側面をシールドすることを特徴とするものである。
【００１１】
前記シールド部材は、前記表示ユニットの表面の外縁部を抑える表示ユニット外縁抑え部を有することを特徴とするものである。
【００１２】
前記シールド部材は、前記表示ユニットを該シールド部材の内部に固定し脱落しないように抑えるための抑え爪部を有することを特徴とするものである。
【００１３】
前記シールド部材は、前記制御回路ユニットに形成された導電パターンに半田付けされていることを特徴とするものである。
【００１４】
前記シールド部材は、前記制御回路ユニット側方シールド部と前記制御回路ユニットに形成された導電パターンとを半田付けすることによって、前記制御回路ユニットに対して導電可能に固着されていることを特徴とするものである。
【００１５】
前記シールド部材は、前記表示ユニットを前記表示ユニット外縁抑え部に圧接するための第１押さえばね部、前記表示ユニットを表示ユニット側方シールド部に圧接するための第２押さえばね部、および前記表示ユニットを前記抑え爪部に圧接するための第３押さえばね部を有することを特徴とするものである。
【００１６】
前記表示ユニットの下面と前記制御回路ユニットの上面をシールドするための前記制御回路ユニット上方シールド部の少なくとも３辺から、それぞれ前記表示ユニットの側面をシールドするための前記表示ユニット側方シールド部と、前記制御回路ユニットの側面をシールドするための前記制御回路ユニット側方シールド部とが一体的に形成されていることを特徴とするものである。
【００１７】
前記シールド部材は、導電材の射出成形により形成されていることを特徴とするものである。
【００１８】
前記携帯型情報装置は更に電波を受信するためのアンテナを有し、前記シールド部材は、該アンテナに対して、前記制御回路ユニットおよび前記表示ユニットをシールドするように形成されていることを特徴とするものである。
【００１９】
前記アンテナは、前記制御回路ユニットと前記表示ユニットとを重ね合わせて配設した側面に配置され、前記シールド部材は、前記表示ユニットおよび前記制御回路ユニットの前記アンテナに対向する側面と前記アンテナとを隔てるように形成されていることを特徴とするものである。
【発明の効果】
【００２０】
本発明によれば、シールド部材５は、導電性の材質の板材の曲げ加工により一体で形成されているので、廉価に形成できると共に、高周波電流に対して低インピーダンスとなり、併せて、シールド部材５が、表示ユニット６および制御回路ユニット３をほとんど覆っ
ているので、近接してもうけられているアンテナユニット４に対する障害を小さいものとすることができる。
【発明を実施するための最良の形態】
【００２１】
情報を処理制御する制御回路ユニットと、該制御回路ユニットによって処理された情報を表示する表示ユニットとを備えた携帯型情報装置において、前記制御回路ユニットと前記表示ユニットとを重ね合わせて配設し、前記制御回路ユニットと前記表示ユニットとを個別にシールドする一体整形されたシールド部材を設ける。
【実施例】
【００２２】
以下発明の実施の形態を実施例に基づき図面を参照して説明する。
図１は、本発明に係る携帯型情報装置における第１実施例の外観を示す斜視図である。図２は、図１に示す携帯型情報装置の外装部材１を透視した状態を示す斜視図である。図３は、図２に示すシールド部材５を曲げ加工する前の平板な状態を示す斜視図である。図４は、図３に示す平板状態にあるシールド部材５を曲げ加工した状態を示す斜視図である。図５は、図４に示すシールド部材５を反対側斜め上方から見た状態を示す斜視図である。図６は、図２に示す表示ユニット６とシールド部材５とを組み立てる状態を示す斜視図である。図７は、図３に示す表示ユニット６とシールド部材５とを、制御回路ユニット３とアンテナユニット４に組み付ける状態を示す説明図である。図８は、図２に示す携帯型情報装置の制御回路ユニット３と、表示ユニット６と、シールド部材５と、アンテナユニット４とが組み立てられた状態を示す斜視図である。図９は、図５と同じ状態にある第２実施例のシールド部材１０５を示す斜視図である。
【００２３】
図１、および図２を用いて、本発明に係る第１実施例の携帯型情報装置の概略の構成について説明する。外装部材１には、後述する表示部を成す液晶ユニット６の表示状態を見るための窓部１ａが形成されており、本携帯型情報装置に動作の指令を行うための３個のプッシュボタン２がもうけられている。外装部材１の内部には、制御回路ユニット３、アンテナユニット４、シールド部材５、および表示ユニット６が一体的に組み立てられ組み込まれている。
【００２４】
図３を用いて、シールド部材５を曲げ加工する前の形状について説明する。導電性の材質の板材をエッチング加工あるいはプレス抜き加工等により図３のような形状に形成する。シールド部材５は、互いに隣接した面積の大きな表示ユニット下面シールド部５ｇと制御回路上方シールド部５ｃとなる部分とが形成され、表示ユニット下面シールド部５ｇの３辺にそれぞれ隣接して形成されている表示ユニット側面シールド部５ｅ、更に、表示ユニット側面シールド部５ｅの外側にそれぞれ隣接して、表示ユニット外縁抑え部５ｆが形成されている。また、制御回路上方シールド部５ｃの３辺にはそれぞれ隣接して制御回路側方シールド部５ａが形成され、３カ所の制御回路側方シールド部５ａにはそれぞれ２カ所づつのシールド部材位置決め突起５ｂが形成されている。
【００２５】
また、表示ユニット下面シールド部５ｇには、片持ち板ばね状の第１押さえばね部５ｉが２カ所に形成されており、制御回路上方シールド部５ｃの反対側に形成されている表示ユニット側面シールド部５ｅには２カ所の第３押さえばね部５ｋが形成され、制御回路上方シールド部５ｃに近接する一方の表示ユニット側面シールド部５ｅには１カ所の第２押さえばね部５ｊが形成されている。
【００２６】
次に、シールド部材５を曲げ加工する状態について説明する。表示ユニット下面シールド部５ｇに形成されている２カ所の第１押さえばね部５ｉと、一方の表示ユニット側面シールド部５ｅに形成されている１カ所の第２押さえばね部５ｊと、他の一方の表示ユニット側面シールド部５ｅに形成されている２カ所の第３押さえばね部５ｋを、線ａのところ
をそれぞれ矢印ｄの方向に僅かに曲げる。
【００２７】
更に、表示ユニット側面シールド部５ｅから突出して形成されている２カ所の抑え爪部５ｈを線ｂのところで矢印ｅの方向に９０°曲げ、表示ユニット下面シールド部５ｇに隣接した３カ所の表示ユニット側面シールド部５ｅを線ｂのところでそれぞれ矢印ｅの方向に９０°曲げ、３カ所の表示ユニット側面シールド部５ｅにそれぞれ隣接した表示ユニット外縁抑え部５ｆを線ｂのところで９０°曲げる。更に、制御回路上方シールド部５ｃに隣接した３カ所の制御回路側方シールド部５ａを線ｂのところでそれぞれ矢印ｅの方向に９０°曲げる。
【００２８】
図４、および図５を用いて、シールド部材５を曲げ加工した状態について説明する。シールド部材５は、導電性の材質の板材の曲げ加工により一体で形成されており、折り返し曲げ部５ｄによって大きく１８０度折り返して曲げられ、表示ユニット下面シールド部５ｇの裏面と制御回路上方シールド部５ｃの裏面が当接した状態になっている。表示ユニット下面シールド部５ｇには片持ち板ばねである２カ所の第１押さえばね部５ｉが形成され、それぞれ僅かに上方に押し上げられた状態に曲げられている。表示ユニット下面シールド部５ｇの折り返し曲げ部５ｄ以外の辺にはそれぞれ表示ユニット側面シールド部５ｅが直角に立ち上がっており、３カ所の表示ユニット側面シールド部５ｅの上端からはそれぞれ表示ユニット外縁抑え部５ｆが内方に伸びて形成されている。
【００２９】
また、折り返し曲げ部５ｄの反対側にある表示ユニット側面シールド部５ｅには２カ所の第３押さえばね部５ｋが形成され、それぞれ僅かに内方に押し曲げられており、折り返し曲げ部５ｄに近接する一方の表示ユニット側面シールド部５ｅには１カ所の第２押さえばね部５ｊが形成され、それぞれ僅かに内方に押し曲げられている。更に、折り曲げ部５ｄに近接した２カ所の表示ユニット側面シールド部５ｅの側端面からはそれぞれ抑え爪部５ｈが突出し先端が内方に曲げられている。一方、制御回路上方シールド部５ｃの折り返し曲げ部５ｄ以外の３辺からそれぞれ制御回路側方シールド部５ａが直角に下方に曲げられており、３カ所の制御回路側方シールド部５ａの下端にはそれぞれ２カ所のシールド部材位置決め突起５ｂが突出している。
【００３０】
図６を用いて、表示ユニット６とシールド部材５とを組み付けるときの状態について説明する。液晶パネル等の表示ユニット６を矢印Ａの方向に移動させてバネ性を有する２カ所の抑え爪部５ｈを左右に開いてその間に表示ユニット６を挿入し、表示ユニット６を表示ユニット下面シールド部５ｇ、表示ユニット側面シールド部５ｅ、および表示ユニット外縁部５ｆに囲まれる内側に挿入し、表示ユニット６が最深部の表示ユニット側面シールド部５ｅに当接させる。シールド部材５の内部に納められた表示ユニット６は、２カ所の第１押さえばね部５ｉによって表示ユニット外縁抑え部５ｆに押しつけられ、１カ所の第２押さえばね部５ｊによって一方の表示ユニット側面シールド部５ｅに押しつけられ、２カ所の第３押さえばね部５ｋによって抑え爪部５ｈに押しつけられているのでシールド部材５によってしっかりと保持されており盲動することはない。
【００３１】
図７を用いて、制御回路ユニット３とアンテナユニット４の構成、および表示ユニット６とシールド部材５との組み付け品を制御回路ユニット３に組み付けるときの状態について説明する。回路基板３ａに回路構成部材３ｂおよびスイッチ部材３ｃが組み付けられて制御回路ユニット３を構成している。その制御回路ユニット３にはループアンテナとコアとにより構成されたアンテナユニット４が取り付けられている。また、回路基板３ａには図示せぬグランドに接続されている導電パターン３ｅが形成され、導電パターン３ｅに沿って６カ所のシールド部材位置決め穴３ｄが形成されており、６カ所のシールド部材位置決め穴３ｄにシールド部材位置決め突起５ｂを挿入してシールド部材５を位置決めさせて、制御回路側方シールド部５ａと導電パターン３ｅとを３辺の全長に渡って半田付けによ
り固着すると共に電気的に接続させる。
【００３２】
上述したように、シールド部材５は導電性の材質の板材の曲げ加工により一体で形成されているので廉価に形成できる。また、制御回路ユニット３と表示ユニット６とを重ね合わせて配設し、制御回路ユニット３と表示ユニット６との間をシールド部材５が隔てていると共に、制御回路ユニット３と表示ユニット６の双方共、一方の側面以外の側面をシールド部材５が覆っており、更に、シールド部材５が一体で構成されていることと併せて、制御回路側方シールド部５ａと導電パターン３ｅとを全長に渡って半田付けにより固着されているので、シールド部材５からグランドへの高周波抵抗を非常に低く抑えており、表示ユニット６が発生するノイズの制御回路ユニット３に対する障害を防ぐと共に、表示ユニット６および制御回路ユニット３が発生するノイズのアンテナユニット４に対する障害を防ぐことができる。
【００３３】
図８を用いて、図１および図２に示す携帯型情報装置の構成について更に説明する。制御回路ユニット３は、回路基板３ａに後述する回路構成部材３ｂおよびスイッチ部材３ｃが組み付けられている。また、表示ユニット６にはシールド部材５が組み付けられて、後述する表示ユニット下面シールド部５ｇ、表示ユニット側面シールド部５ｅが、表示ユニット６の表示面と一方の側面以外の面を覆っている。表示ユニット６が組み付けられたシールド部材５は、後述する回路基板３ａに取り付けられ、制御回路側方シールド部５ａ、制御回路上方シールド部５ｃが回路構成部材３ｂを覆っている。
【００３４】
図９を用いて、本発明の第２実施例について説明する。シールド部材１０５は、制御回路上方シールド部１０５ｃには片持ち板ばねである２カ所の第１押さえばね部１０５ｉが形成され、それぞれ僅かに上方に押し上げられた状態に曲げられている。制御回路上方シールド部１０５ｃの３辺にはそれぞれ表示ユニット側面シールド部１０５ｅが立ち上がっていると共に、制御回路側方シールド部５ａが直角に下方に曲げられており、３辺にそれぞれ形成された制御回路側方シールド部５ａの下端には３辺のそれぞれ２カ所のシールド部材位置決め突起５ｂが突出している。また、３辺から立ち上がっている表示ユニット側面シールド部１０５ｅの上端からはそれぞれ表示ユニット外縁抑え部１０５ｆが内方に伸びて形成されている。更に、対向する２カ所の表示ユニット側面シールド部１０５ｅの側端面からはそれぞれ抑え爪部１０５ｈが突出し先端が内方に曲げられている。
【００３５】
上述したように第２実施例においては、第１実施例のようにシールド部材５は１枚の板材を折り返し曲げ部５ｄによって大きく折り返して曲げ、表示ユニット下面シールド部５ｇの裏面と制御回路上方シールド部５ｃの裏面が当接した状態とし、表示ユニット下面シールド部５ｇからは表示ユニット側面シールド部５ｅを折り曲げ、制御回路上方シールド部５ｃからは制御回路側方シールド部５ａを折り曲げて形成したものとは異なり、１枚の制御回路上方シールド部１０５ｃから表示ユニット側面シールド部１０５ｅと制御回路側方シールド部１０５ａとを折り曲げて形成しているので、制御回路ユニット３および表示ユニット６の側面の全面を覆っておらず完全にシールドされていないので、シールド効果は第１実施例と比較して低下するが、製造コストは大幅に低減することができる。
【００３６】
なお上述した第１実施例および第２実施例の説明においては、シールド部材５を曲げ加工した例について説明したが、製造個数が多い場合には導電部材特に金属材を射出成形によって形成したほうがコストを低廉に抑えることができる。
【図面の簡単な説明】
【００３７】
【図１】発明に係る携帯型情報装置における第１実施例の外観を示す斜視図である。
【図２】図１に示す携帯型情報装置の外装部材１を透視した状態を示す斜視図である。
【図３】図２に示すシールド部材５を曲げ加工する前の平板な状態を示す斜視図である。
【図４】図３に示す平板状態にあるシールド部材５を曲げ加工した状態を示す斜視図である。
【図５】図４に示すシールド部材５を反対側斜め上方から見た状態を示す斜視図である。
【図６】図２に示す表示ユニット６とシールド部材５とを組み立てる状態を示す斜視図である。
【図７】図３に示す表示ユニット６とシールド部材５とを、制御回路ユニット３とアンテナユニット４に組み付ける状態を示す説明図である。
【図８】図２に示す携帯型情報装置の制御回路ユニット３と、表示ユニット６と、シールド部材５と、アンテナユニット４とが組み立てられた状態を示す斜視図である。
【図９】図５と同じ状態にある第２実施例のシールド部材１０５を示す斜視図である。
【図１０】従来例「特開平９−１８１６３７号公報」の主要断面図である。
【符号の説明】
【００３８】
１  外装部材
１ａ  窓部
２  プッシュボタン
３  制御回路ユニット
３ａ  回路基板
３ｂ  回路構成部材
３ｃ  スイッチ部材
４  アンテナユニット
５、１０５  シールド部材
５ａ、１０５ａ  制御回路側方シールド部
５ｂ、１０５ｂ  シールド部材位置決め突起
５ｃ、１０５ｃ  制御回路上方シールド部
５ｄ  折り返し曲げ部
５ｅ、１０５ｅ  表示ユニット側面シールド部
５ｆ、１０５ｆ  表示ユニット外縁抑え部
５ｇ  表示ユニット下面シールド部
５ｈ、１０５ｈ  抑え爪部
６  液晶表示ユニット
【図１】
2006086673.tif 000003
【図２】
2006086673.tif 000004
【図３】
2006086673.tif 000005
【図４】
2006086673.tif 000006
【図５】
2006086673.tif 000007
【図６】
2006086673.tif 000008
【図７】
2006086673.tif 000009
【図８】
2006086673.tif 000010
【図９】
2006086673.tif 000011
【図１０】
2006086673.tif 000012